(57)【特許請求の範囲】
【請求項１】
グリップハンドルが対向する口縁間に一体に架設され底部に開口部が成形されている受皿状の合成樹脂製取付体をシートの凹窪に嵌合してシートに一体に締結するグリップハンドルの取付構造であって、前記取付体の底部とシートとの間に、被覆片を介在させて、前記取付体の開口部を被覆してなる自動車用シートにおけるグリップハンドルの取付構造。
【請求項２】
前倒可能なシートバックの背裏にカーペットを張着し、該カーペットの一部に切欠孔を開孔すると共に、該切欠孔に臨むバックプレートに前記凹窪を形成し、該凹窪内に、前記グリップハンドル付取付体をカーペット片からなる被覆片と共に締結してなる請求項１記載の自動車用シートにおけるグリップハンドルの取付構造。
【発明の詳細な説明】
【技術分野】
【０００１】
本発明は前倒状態の自動車用シートのシートバックを使用状態に起立させるために使用するグリップハンドルの取付構造に関する。
【背景技術】
【０００２】
リャシートのシートバックには、背裏が水平状になるように前倒してその背裏を荷台としたものがある。そして、このシートバックには自動車の後部ドア方向から起立状に起こして、リャシートのシートバックとして使用し得るように構成されているものがある。
【０００３】
従って、前倒状態のシートバックをシートバック後方の後部ドア方向から起こし得るように、シートバックの背面側に、グリップハンドルを配設している。
【０００４】
なお、シートバックの背面側にグリップを有するものはシートバックのバックボードと一体のブラケットにグリップを締結している(例えば特許文献１参照)。
【０００５】
【特許文献１】実開平４−６７５３４号公報
【発明の開示】
【発明が解決しようとする課題】
【０００６】
以上の如く、シートバックの背面側にグリップを設けたものは、シートバックの背裏が水平状になるようにシートバックを前倒した際にグリップがシートバックの背面より上方に突出するため、シートバックの背裏を荷台として利用する場合、グリップが障害となる不具合がある。
【０００７】
そこで、前倒可能なシートバックで、そのシートバック後方より前倒状態のシートバックを使用状態にするために起こすものにおいては、シートバックの背裏側に、グリップハンドルをシートバックの背面と同一平面状に配設する必要がある。
【０００８】
ところで、グリップハンドルがシートバックの背面より突出しないように、また、シートバック側に取付け易いようにするために、受皿状の合成樹脂製取付体の対向する口縁間にグリップハンドルを一体に架設し、このグリップハンドル付の取付体をシートバックの背面側の凹窪に締結する構造にする。
【０００９】
すると、前記グリップハンドルを受皿状の取付体と同時に合成樹脂で一体に成形すると、グリップハンドルが対応する取付体の底部に、脱型用の大きな開口部が形成される。
【００１０】
そして、このグリップハンドル付取付体をシートバック側に取付けた際に、前記開口部からシート内部のバックプレートが視覚されるため、シートバックのグリップハンドルを配設した部分の外観品質が損なわれる不具合が生じる。
【００１１】
そこで、本発明は斯様な不具合を除去することを目的とする。
【課題を解決するための手段】
【００１２】
以上の目的を達成するための本発明に係る自動車用シートにおけるグリップハンドルの取付構造は、グリップハンドルが対向する口縁間に一体に架設され底部に開口部が成形されている受皿状の合成樹脂製取付体をシートの凹窪に嵌合してシートに一体に締結するグリップハンドルの取付構造であって、前記取付体の底部とシートとの間に、被覆片を介在させて、前記取付体の開口部を被覆してなる構成である。
【００１３】
そして、前倒可能なシートバックの背裏にカーペットを張着し、該カーペットの一部を切欠孔を開孔すると共に、該切欠孔に臨むバックプレートに凹窪を形成し、該凹窪内に、前記グリップハンドル付取付体をカーペット片からなる被覆片と共に締結  するようにするのが好ましい。
【発明の効果】
【００１４】
本請求項１の発明によれば、グリップ付ハンドル取付体に有する開口部は被覆片によって被覆されるため、シートの内部が開口部から露呈することがなく、シートのグリップハンドルを配設した部分の外観品質が損なわれない。
【００１５】
また、被覆片はシートとこのシートに締結される取付体との間に介在させるため、剥離することがないし、取付体の取付性に支障がない。
【００１６】
本請求項２の発明によれば、取付体、グリップハンドルがシートバックの背裏上に突出しないので、シートバック背裏を荷台とした場合に、グリップハンドル等に荷物が接触することがない。
また、被覆片がカーペット片であるため、シートバックの背面側の外観品質が一層良好となる。
【発明を実施するための最良の形態】
【００１７】
以下、本発明の一実施例を図面に基づいて説明する。
図１は前倒状態のリャシートのシートバックＳＢを示し、その背裏にはグリップハンドル１０が一体の合成樹脂製取付体１が配設され、このグリップハンドル１０を握持して引くことによりシートバックＳＢは矢印方向に回動してシートバックとしての使用状態になるように構成されている。
【００１８】
以上のシートバックＳＢの背裏には、この背裏上に荷物等が載置できるように、カーペット４が張設されている。
【００１９】
そして、前記取付体１は図２、図３に示すように、受皿状にグリップハンドル１０と共に一体成形されており、脱型用の大きな開口部１３Ａが底部１３に形成されている。
【００２０】
また、取付体１の口縁周囲にはフランジ１２が一体成形され、前記グリップハンドル１０は対向口縁間に外部に突出しないように一体に架設されている。
【００２１】
そして、前記取付体１の開口部１３Ａは被覆片２によって被覆されている。この被覆片２は前記シートバックＳＢの金属製バックプレート３と、取付体１の底部１３との間に介在し、取付体１の締結によってバックパネル３に挟持されている。
【００２２】
取付体１を締結する部分のシートバックＳＢの背裏内側には図３に示すように、前記パックプレート３Ａを凹窪からなる嵌合部３が設けてあり、この嵌合部３に前記取付体１が嵌合し得るように形成されている。
【００２３】
図示する取付体１は受皿状の口縁周囲に沿ってフランジ１２，１２が、また、壁部１１，１１…に水平状の係止突起１４、底部１３に垂直状の係止突起１５，１５と締結部材５の挿通孔１３Ｂが各々一体成形されている。
【００２４】
一方、バックプレート３Ａの嵌合部３を形成する周壁３１には、前記水平状の係止突起１４を挿入する係止孔３１Ａ、また、底部３０には垂直状の係止突起１５，１５が挿入する係止孔３０Ｂ、３０Ｂ及び締結部材５が締結される締結孔３０Ａが各々設けてある。
【００２５】
カーペット４にはバックプレート３Ａの嵌合部３の平面形状と同一の開口が切欠形成されている。
このカーペット４の開口の端末４０、４０は前記取付体１のフランジ１２，１２に挟持される。
【００２６】
前記被覆片２は、前記嵌合部３の底部３０と略同一の大きさの布地、好ましくは開口を切欠形成したカーペット４の開口用切欠片を使用している。
【００２７】
次に、グリップハンドル１０付取付体１、被覆片２…の取付方法を説明すると、まず、シートバックＳＢのバックプレート３Ａに設けた嵌合部３内に、被覆片２を収容する。
【００２８】
そして、取付体１の各係止突起１４、１５、１５を嵌合部３に設けた各係止孔３１Ａ、３０Ｂ、３０Ｂに挿入して、嵌合部３に取付体１を嵌合して固定する。然る後、ビスなどの締結部材５を取付体１をバックパネル３Ａの嵌合部３に締結する。
【００２９】
すると、図１、図２に示すように、被覆片２が、取付体１と嵌合部３との間に介在して固定され、取付体１の開口部１３Ａは被覆され、開口部１３Ａからバックプレート３Ａの嵌合部３が視覚されない。また、取付体１が確実にバックプレート３Ａの嵌合部３に固定される。
【００３０】
依って、取付体１及び被覆片２の取付作業が簡単で、バックプレート３Ａ側から剥離されることがない。
【００３１】
なお、受皿状の取付体１内に指先Ｈを挿し込んでグリップハンドル１０を握持して引くと、シートバックＳＢは図１に示す状態から矢印方向に回動して使用状態である起立状態に起き上がる。
【００３２】
図示する実施例はシートバックの背裏にグリップハンドルを設けているが、シートの他の場所、或いは収納自在なアームレストなどに設けるも任意である。
【図面の簡単な説明】
【００３３】
【図１】取付状態を示す斜視図である。
【図２】図１の要部のII-II線断面図である。
【図３】要部の分解断面図である。
【符号の説明】
【００３４】
１…取付体、１０…グリップハンドル、１３…取付体の開口部、２…被覆片、３…バックプレートの凹窪たる嵌合部。
【図１】
0004560467.tif 000002
【図２】
0004560467.tif 000003
【図３】
0004560467.tif 000004